(57)【特許請求の範囲】
【請求項１】
被検体が載置される固定台の長手方向に沿った側部の複数箇所に着脱自在に取付けられるアタッチメント部材と、
前記アタッチメント部材に着脱自在に取付けられる固定ベルトと、
を具備し、
前記アタッチメント部材は着脱自在なループテープとフックテープとからなる接着テープを用いて前記固定台に取り付けられ、
前記ループテープとフックテープとのいずれか一方が前記固定台の長手方向に沿った側部に接着され、
前記ループテープとフックテープとのいずれか他方が前記アタッチメント部材に接着され、
前記固定ベルトの一端は鉤型形状の嵌め込み部を有し、
前記アタッチメント部材は前記嵌め込み部が嵌合される受け部を有し、
前記アタッチメント部材と前記固定ベルトとが嵌合された状態で前記固定ベルトが嵌合部において被検体の長手方向に摺動自在であることを特徴とする被検体固定装置。
【請求項２】
前記固定台は寝台であり、寝台の両側部の複数箇所の上下面には前記ループテープが接着され、前記ループテープは寝台の下側面で前記フックテープと接着され、寝台の上側面で前記寝台上に載置されるマットにも接着されることを特徴とする請求項１に記載の被検体固定装置。
【請求項３】
前記嵌め込み部、受け部はポリエチレンからなることを特徴とする請求項１に記載の被検体固定装置。
【請求項４】
前記固定台の両側部にアタッチメント部材を介して取付けられる固定ベルトは着脱自在なフックテープとループテープからなる接着テープを用いて互いに接着されることを特徴とする請求項１に記載の被検体固定装置。
【発明の詳細な説明】
【０００１】
【発明の属する技術分野】
本発明は、例えばＸ線診断装置、Ｘ線ＣＴ装置、ＭＲＩ装置、核医学診断装置、結石破砕装置、温熱治療装置等の医用装置に用いられ、被検体を寝台に固定するための被検体固定装置に関する。
【０００２】
【従来の技術】
このような装置の従来例としては、実開平６−７４１０７号公報に記載の患者載置用テーブル装置がある。この従来例は、テーブル全体を交換しなければならないという従来装置の欠点を解消するためのものである。図１、図２を参照して、この従来例を説明する。図１は断面図、図2は平面図である。患者が載置されるクレードル（寝台天板）２の長手方向に沿って、受け部を有するベースレール１２が接着剤等を用いて両側（左右側部）に固着される。ベースレール１２の受け部にはアタッチメントレール１３の嵌め込み部１４が、図2に示すように、長手方向の一端から挿入され、嵌め込まれる。嵌め込み部１４は玉ぶち形状を有する。その後、アタッチメントレール１３の嵌め込み部１４の両端は止具１５によりベースレール１２に係止される。止具１５の固定、または解除は簡単にでき、ベースレール１２へのアタッチメントレール１３の設置、または取り外しは容易に行なえる構成となっている。アタッチメントレール１３は柔軟な材質からなる。
【０００３】
アタッチメントレール１３にも受け部が設けられ、この中に患者を固定するためのストラップ４の嵌め込み部１１が同様に嵌め込まれる。嵌め込み部１１も玉ぶち形状を有する。このため、ストラップ４はアタッチメントレール１３に沿って摺動自在である。これにより、体軸方向の任意の位置で患者を固定することができる。ストラップ４は帯部１０も有し、帯部１０の先端はマジックテープ等の着脱自在な接着テープにより他方のストラップ４の帯部に接着される。
【０００４】
患者を固定していない時は、ストラップ４はアタッチメントレール１３から取り外されている。そこで、患者を固定する時は、先ずストラップ４の嵌め込み部１１をアタッチメントレール１３の受け部にスライドさせて挿入する。この時、ストラップ４の嵌め込み部１１の接触対象はアタッチメントレール１３の受け部である。また、ストラップ４を被検体に巻き付ける時の接触対象も同じくアタッチメントレール１３である。そして、これらの接触が頻繁になると、アタッチメントレール１３、特にその受け部は損傷することになる。アタッチメントレール１３が損傷した場合は、止具１５を取り外してアタッチメントレール１３をベースレール１１から取り外し、新しいものに交換する。したがって、アタッチメントレール１３が損傷した場合、クレードル２全体を交換する必要は無い。
【０００５】
このように、この従来例では、アタッチメントレール１３を介してストラップ４をクレードル２に取付けることにより、クレードル２に固着されているベースレール１２の損傷が避けられる。アタッチメントレール１３が無いと、ベースレール１２が損傷して、ベースレール１２が固着されているクレードル２全体を交換しなければならない。
【０００６】
【発明が解決しようとする課題】
しかしながら、アタッチメントレール１３を設けた上述の従来例においても、ベースレール１２の損傷が必ず避けられるという保証はない。アタッチメントレール１３は柔軟であるので、ストラップ４が取り外されている間は垂れ下がっており、ストレッチャやストラップ４がベースレール１２に接触して、ベースレール１２が損傷する可能性を否定できない。ベースレール１２が損傷すれば、クレードル全体を交換しなければならず、金銭的な負担が大きい。さらに、ベースレール１２は取り外しできないので、汚れた場合でも交換できず、衛生面で問題がある。
【０００７】
さらに、上述の従来例では、ストラップ４とアタッチメントレール１３との嵌め込み、及びアタッチメントレール１３とベースレール１２との嵌め込みは玉ぶち形状の受け部を用いて行なっている。玉ぶち形状は、引き抜かれる力に対して何の抵抗力も発生せず、玉ぶち形状の嵌合部は外れやすいという欠点がある。外れにくくするには、球を大きくする必要があるが、大形になると扱いにくいとともに、Ｘ線吸収量が増大し、Ｘ線診断装置、Ｘ線ＣＴ装置等のＸ線を利用する医用診断装置には使えないことになる。
【０００８】
このように、従来の被検体固定装置には、損傷した部品のみを交換することができず、全体を取り換えなければならない事態が起こり得るという欠点と、ストラップとアタッチメントレール、あるいはアタッチメントレールとベースレールとの嵌合部が外れやすいという欠点があった。
【０００９】
本発明の目的は損傷した部品のみを交換することができ、固定台全体を取り換える必要の無い被検体固定装置を提供することにある。
【００１０】
本発明の他の目的は固定具としてのストラップが外れにくい被検体固定装置を提供することにある。
【００１１】
【課題を解決するための手段】
（１）本発明の一態様による被検体固定装置は、被検体が載置される固定台の長手方向に沿った側部の複数箇所に着脱自在に取付けられるアタッチメント部材と、前記アタッチメント部材に着脱自在に取付けられる固定ベルトと、を具備し、前記アタッチメント部材は着脱自在なループテープとフックテープとからなる接着テープを用いて前記固定台に取り付けられ、前記ループテープとフックテープとのいずれか一方が前記固定台の長手方向に沿った側部に接着され、前記ループテープとフックテープとのいずれか他方が前記アタッチメント部材に接着され、前記固定ベルトの一端は鉤型形状の嵌め込み部を有し、前記アタッチメント部材は前記嵌め込み部が嵌合される受け部を有し、
前記アタッチメント部材と前記固定ベルトとが嵌合された状態で前記固定ベルトが嵌合部において被検体の長手方向に摺動自在であることを特徴とする被検体固定装置。
【００１２】
本発明によれば、アタッチメント部材も固定台に対して着脱自在であるので、アタッチメント部材が損傷した場合は、単独で交換することができる。
【００１３】
（２）本発明の被検体固定装置は、上記（１）に記載した被検体固定装置であって、かつアタッチメント部材は着脱自在なフックテープとループテープからなる接着テープを用いて固定台に取付けられるものである。
【００１４】
（３）本発明の被検体固定装置は、上記（２）に記載した被検体固定装置であって、かつ固定台の側部にはループテープが接着され、アタッチメント部材にはフックテープが接着されるものである。
【００１５】
（４）本発明の被検体固定装置は、上記（２）に記載した被検体固定装置であって、かつ固定台は寝台であり、寝台の両側部の上下面にはループテープが接着され、アタッチメント部材にはフックテープが接着され、ループテープは寝台の下側面でフックテープと接着され、寝台の上側面で寝台上に載置されるマットにも接着されるものである。
【００１６】
（５）本発明の被検体固定装置は、上記（１）に記載した被検体固定装置であって、かつ固定ベルトの一端は鉤型形状の嵌め込み部を有し、アタッチメント部材は該嵌め込み部が嵌合される受け部を有し、固定ベルトはアタッチメント部材に対して摺動自在に取付けられるものである。
【００１７】
本発明によれば、嵌め込み部は鉤型形状であるので、取り外そうとする力が加わると、受け部は締める力を発生するので、大型化することなく、外れにくい嵌合部が実現される。
【００２０】
（７）本発明の被検体固定装置は、上記（５）に記載した被検体固定装置であって、かつ嵌め込み部、受け部はポリエチレンからなるものである。
【００２１】
本発明によれば、Ｘ線吸収量が少ない材質を用いているので、Ｘ線を利用する医用診断装置に適用しても、診断画像に影響が出ることがない。
【００２２】
（８）本発明の被検体固定装置は、上記（１）に記載した被検体固定装置であって、かつ固定台の両側部にアタッチメント部材を介して取付けられる固定ベルトは着脱自在なフックテープとループテープからなる接着テープを用いて互いに接着されるものである。
【００２３】
【発明の実施の形態】
以下、図面を参照して本発明による被検体固定装置の実施形態を説明する。
【００２４】
図３は本発明の第１実施形態に係る被検体固定装置の構成を示す概略図である。ここでは、Ｘ線ＣＴ装置の寝台装置に適用した例を説明する。寝台装置３０の上部に被検体（図示せず）が載置される天板３２が設けられる。天板３２の両側部（左右側）の上下面には長手方向に沿ってそれぞれ３箇所、計6箇所に、図４に示すようにパイルを有するループテープ３４が接着剤により接着固定されている。天板３２の上面のループテープ３４は天板３２上に載置されるマット３６（マット３６の端部の下面には当該ループテープ３４と着脱自在に接着されるフックテープ３８が設けられる）と接着され、マット３６を天板３２上に固定する。このループテープ３４とフックテープ３８は、いわゆるマジックテープと称される着脱自在な接着テープを構成する。なお、マット３６との接着は本発明の必須の要件ではなく、ループテープ３４は天板３２の下面のみに接着されていても良い。なお、ループテープ３４の天板３２への固定は接着剤に限らず、両面テープ、鋲等を用いても良い。
【００２５】
天板３２の下面のループテープ３４には、柔軟性のあるアタッチメントベルト４２（アタッチメントベルト４２にも当該ループテープ３４と着脱自在に接着されるフックテープ４０が設けられる）が接着固定される。アタッチメントベルト４２は被検体を天板３２に固定する時以外は、天板３２から取り外しておいても良い。こうすることにより、アタッチメントベルと４２の損傷を防ぐことができる。しかし、アタッチメントベルト４２は着脱自在な接着テープを用いて天板３２に固定されているので、万が一損傷した場合でも、アタッチメントベルト４２のみを取り換えることができ、天板全体を交換する必要がない。これは、費用の点のみならず、汚れた場合に洗浄、交換することによる衛生面の効果も奏する。なお、アタッチメントベルト４２は天板３２に対して着脱自在であり、容易に交換可能であるので、被検体を天板３２に固定する時以外も、必ずしも天板３２から取り外しておく必要はない。
【００２６】
アタッチメントベルト４２の先端には受け部４４が設けられ、この受け部４４内に固定ベルト４６の一端の嵌め込み部４８が嵌め込まれる。この嵌め込み部４８は鉤型形状を有し、受け部４４も対応する形状を有している。このため、嵌め込み部４８に引き抜かれる方向の力が加わると、受け部４４は締める方向の力を発生し、固定ベルト４６がアタッチメントベルト４２から外れる可能性が殆どない。なお、従来例と同様に、固定ベルト４６は嵌合部において、被検体の長手方向に沿って摺動自在であり、体軸方向の任意の位置で被検体を固定することができる。
【００２７】
固定ベルト４６の先端の表裏にはループテープ５０、フックテープ５２が夫々貼り付けられ、図５に示すように、天板３２の他方の側部に取付けられた固定ベルトの先端と接着され、被検体を固定するようになっている。なお、固定ベルト４６同士の接続は接着テープの利用に限らず、その他の手段を用いて行なっても良い。
【００２８】
アタッチメントベルト４２、固定ベルト４６の材質としては、柔軟性が要求されるが、Ｘ線診断装置、Ｘ線ＣＴ装置等のＸ線を利用する医用診断装置の場合は、さらにＸ線吸収の少ない材質、例えば、ナイロンが好ましい。この場合、受け部４４、嵌め込み部４４はポリエチレン等で成形することが好ましい。
【００２９】
本発明は上述した実施形態に限定されず、種々変形して実施可能である。例えば、アタッチメントベルト４２の天板への接着に際して、パイルテープとフックテープの配置を交換しても良い。すなわち、天板３２側にフックテープを設けて、アタッチメントテープ側にパイルテープを設けても良い。また、天板の片側にアタッチメントベルトを複数個（ここでは、３個）設けたが、図１、図２に示す従来例のように全長に亘って、もしくは部分的に設けても良い。また、上述の説明は、Ｘ線ＣＴ装置の寝台装置に適用した場合に関するが、本発明はＭＲＩ装置、核医学診断装置等の他の医用診断装置にも適用可能であるし、診断装置に限らず、結石破砕装置、温熱治療装置の治療装置にも適用可能である。さらに、医用装置に限らず、人間、動物等を椅子、柱等に固定する際に使用するいずれの固定装置にも適用可能である。
【００３０】
【発明の効果】
以上説明したように本発明によれば、下記のような作用効果を奏する被検体固定装置を提供することができる。
【００３１】
（１）被検体が載置される固定台の側部に着脱自在に取付けられるアタッチメント部材と、アタッチメント部材に着脱自在に取付けられる固定ベルトとを具備することにより、アタッチメント部材も固定台に対して着脱自在となり、アタッチメント部材が損傷した場合は、単独で交換することができ、全体を交換するという無駄を省くことができる。
【００３２】
（２）この固定ベルトの一端は鉤型形状の嵌め込み部を有し、アタッチメント部材は該嵌め込み部が嵌合される受け部を有し、固定ベルトはアタッチメント部材に対して摺動自在に取付けられることにより、固定ベルトをアタッチメントベルトから取り外そうとする力が加わると、受け部は締める力を発生するので、大型化することなく、外れにくい嵌合部が実現される。
【図面の簡単な説明】
【図１】従来の患者載置用テーブル装置の断面図。
【図２】従来の患者載置用テーブル装置の平面図。
【図３】本発明による被検体固定装置の第１の実施形態の全体的な構成を示す概略図。
【図４】本発明の主要部の詳細な構造を示す断面図。
【図５】本発明により被検体を固定する態様を示す図。
【符号の説明】
３２…天板
３４、５０…ループテープ
３８、４０、５２…フックテープ
３６…マット
４２…アタッチメントベルト
４４…嵌め込み部
４６…固定ベルト
４８…受け部
【図１】
0004521072.tif 000002
【図２】
0004521072.tif 000003
【図３】
0004521072.tif 000004
【図４】
0004521072.tif 000005
【図５】
0004521072.tif 000006